(57)【要約】【課題】構造体との結合部の形成によるフラット表示装置の側面の空間活用度を高めると共に、ボトムシャーシとトップシャーシとの結合力を高めることのできる、一体型の結合構造を有するトップシャーシ及びボトムシャーシを備えたフラット表示装置を提供する。【解決手段】内部に所定の収納空間が形成されると共に、側面上に突設される複数のフック部を有するモールドフレームと、前記モールドフレームのフック部と係合される複数の第１の係合開口部を有するボトムシャーシと、前記ボトムシャーシとの結合構造を有するトップシャーシとを備え、前記ボトムシャーシと前記トップシャーシとの結合構造は、前記モールドフレームと前記ボトムシャーシが組み合わせられる領域の上に形成される。【選択図】      図６
2007164182.tif 000002
【特許請求の範囲】
【請求項１】
内部に所定の収納空間が形成されると共に、側面上に突設される複数のフック部を有するモールドフレームと、
前記モールドフレームのフック部と係合される複数の第１の係合開口部を有するボトムシャーシと、
前記ボトムシャーシとの結合構造を有するトップシャーシとを備え、
前記ボトムシャーシと前記トップシャーシとの結合構造は、前記モールドフレームと前記ボトムシャーシが組み合わせられる領域の上に形成されることを特徴とするフラット表示装置。
【請求項２】
前記ボトムシャーシは、第１の台座板と、該第１の台座板から折り曲げられて延設される側壁と、前記フック部と係合するために前記側壁に形成される前記複数の第１の係合開口部とを備え、前記側壁上には側壁の外方に向かって所定の形状を有する複数の第１の凸部が形成され、
前記トップシャーシは、所定の領域が開放された第２の台座板と、該第２の台座板から折り曲げられて延設される側壁と、ボトムシャーシとの結合のための前記側壁に形成される複数の係合部とを備え、該複数の係合部のそれぞれには、第２の係合開口部及び前記係合部の内方に向かって所定の形状を有する第２の凸部が形成されることを特徴とする請求項１に記載のフラット表示装置。
【請求項３】
前記第１の凸部は前記第１の係合開口部の上部に形成され、前記第２の凸部は前記第２の係合開口部の下部に形成されることを特徴とする請求項２に記載のフラット表示装置。
【請求項４】
前記第１の凸部及び第２の凸部は、平面的に見て半円形状に形成されることを特徴とする請求項２に記載のフラット表示装置。
【請求項５】
前記第１の凸部と側壁とが一体に形成され、前記第２の凸部と係合部とが一体に形成されることを特徴とする請求項２に記載のフラット表示装置。
【請求項６】
前記第１の凸部は、前記第２の係合開口部と係合されることを特徴とする請求項２に記載のフラット表示装置。
【請求項７】
前記ボトムシャーシは、第１の台座板と、該第１の台座板から折り曲げられて延設される側壁と、前記フック部と係合するために前記側壁に形成される前記複数の第１の係合開口部とを備え、
前記トップシャーシは、所定の領域が開放された第２の台座板と、該第２の台座板から折り曲げられて延設される側壁と、前記ボトムシャーシとの結合のための前記側壁に形成される複数の係合部とを備え、該複数の係合部のそれぞれには、係合部の内方に向かって所定の形状を有する第２の凸部が形成されることを特徴とする請求項１に記載のフラット表示装置。
【請求項８】
前記第２の凸部は、平面的に見て円形状に形成されることを特徴とする請求項７に記載のフラット表示装置。
【請求項９】
前記第２の凸部は、係合部と一体に形成されることを特徴とする請求項７に記載のフラット表示装置。
【請求項１０】
前記第２の凸部は、前記フック部に形成される開口部と対応する個所に形成されることを特徴とする請求項７に記載のフラット表示装置。
【請求項１１】
前記ボトムシャーシは、第１の台座板と、該第１の台座板から折り曲げられて延設される側壁と、前記フック部と係合するために前記側壁に形成される複数の第１の係合開口部とを備え、前記側壁上には、側壁の内方に向かって所定の形状を有する複数の第１の凸部が形成され、
前記トップシャーシは、所定の領域が開放された第２の台座板と、該第２の台座板から折り曲げられて延設される側壁と、ボトムシャーシとの結合のための前記側壁に形成される複数の係合部とを備え、該複数の係合部のそれぞれには、係合部の内方に向かって所定の形状を有する第２の凸部が形成されることを特徴とする請求項１に記載のフラット表示装置。
【請求項１２】
前記第１の凸部及び第２の凸部は、平面的に見て円形状に形成されることを特徴とする請求項１１に記載のフラット表示装置。
【請求項１３】
前記第１の凸部と側壁とが一体に形成され、前記第２の凸部と係合部とが一体に形成されることを特徴とする請求項１１に記載のフラット表示装置。
【請求項１４】
前記第１の凸部は、前記第２の凸部よりも大きく形成されることを特徴とする請求項１１に記載のフラット表示装置。
【請求項１５】
前記第１の凸部は、前記第１の係合開口部の上部に形成されることを特徴とする請求項１１に記載のフラット表示装置。
【請求項１６】
前記第２の凸部は、前記第１の凸部と対応する個所に形成されることを特徴とする請求項１２に記載のフラット表示装置。
【請求項１７】
前記フラット表示装置は、液晶表示装置であることを特徴とする請求項１乃至１６のいずれか一項に記載のフラット表示装置。
【発明の詳細な説明】
【技術分野】
【０００１】
本発明はフラット表示装置に関し、さらに詳しくは、トップシャーシとボトムシャーシとの間に一体型の結合構造を有するトップシャーシ及びボトムシャーシを備えたフラット表示装置に関する。
【背景技術】
【０００２】
フラット表示装置のうち、液晶表示装置（Ｌｉｑｕｉｄ  Ｃｒｙｓｔａｌ  Ｄｉｓｐｌａｙ：ＬＣＤ）は、軽量、薄型、低電力駆動、フルカラー、高解像度の具現などの特徴を有することから、近年、その応用範囲が拡大されている。現在、液晶表示装置は、パソコン、ノート型パソコン、ＰＤＡ、電話機、ＴＶ、オーディオ／ビデオ機器などにおいて用いられている。
【０００３】
かかる液晶表示装置は、マトリックス状に配列されて、多数の制御用のスイッチ有する画素に印加される画像信号により光の透過量が調節されて、画面に所望の画像を表示して直接的に画像を表示するＬＣＤパネルと、ＬＣＤパネルを駆動させるためのＬＣＤ駆動ＩＣと、液晶表示装置の光源に用いられるバックライトユニット、及び液晶表示装置の各構成要素を単一に統合するためのシャーシにより構成される。
【０００４】
現在、中小型の液晶表示装置の最大の関心は、高輝度と薄型化であり、中でも、薄型化は、液晶表示装置が適用される構造体のメーカーから絶えず求められている要求事項である。この薄型化の傾向にあいまって、構造体との種々の結合構造が開発されている。中でも、最も一般的に適用されている構造は、図１に示す液晶表示装置のモジュールにフランジ（ｆｌａｎｇｅ）状の係合部を形成して、構造体と係合するような構造である。
【０００５】
図１は、従来の液晶表示装置の概略斜視図である。図１を参照すると、液晶表示装置は、ＬＣＤパネル１０、ＬＣＤパネルを収納するためのモールドフレーム２０及びモールドフレーム２０と組み合わせるボトムシャーシ３０を備える。このとき、モールドフレームの側面には、構造体と係合するための羽根状の係合部２５が形成される。
【０００６】
図２及び図３は、従来の技術によるデュアル液晶パネルを備えた液晶表示装置の概略斜視図及び側面図である。図２及び図３を参照すると、液晶表示装置は、サブ側のＬＣＤパネル１０、バックライトユニットを収納するためのモールドフレーム２０及びモールドフレームと組み合わせられるボトムシャーシ３０を備え、モールドフレーム２０の側面には、構造体と係合するためのフランジ状の係合部２５が形成される。このとき、サブ側のＬＣＤパネルは、ボトムシャーシ３０の外側に形成され、メイン側のＬＣＤパネル（図示せず）は、モールドフレーム側に配置される。
【０００７】
図４及び図５は、従来の技術による液晶表示装置のモールドフレームとボトムシャーシが組み合わせられる部分を拡大して示す平面図及び断面図である。図４及び図５は、図１及び図３の点線領域を拡大して示した図であり、モールドフレーム２０の側面の上には、所定の高さにフック２３が突設される。ボトムシャーシ３０の側壁には、フック２３の形状と個所に対応する係合開口部３５が形成され、また、ボトムシャーシ３０側壁の内方に向かって折られた四角形状のフック掛止部３３が形成される。
【０００８】
しかしながら、上述のように、構造体との結合構造のために、モールドフレームの側面にフランジ状の係合部が形成される場合、液晶表示装置の側面の設計に多くの制約を受けることになる。特に、このようなフランジ状の係合部により、ボトムシャーシとトップシャーシを組み合わせるためのフックを形成するための空間が足りなくなってしまう。その結果、フックの本数の低減やサイズの縮小が起こってボトムシャーシとトップシャーシとの結合力が弱くなり、その結果、外部からの衝撃に対しＬＣＤパネルの保護が正常に行われないという問題点があった。
【発明の開示】
【発明が解決しようとする課題】
【０００９】
そこで、本発明は上記従来のフラット表示装置における問題点に鑑みてなされたものであって、本発明の目的は、構造体との結合部の形成によるフラット表示装置の側面の空間活用度を高めると共に、ボトムシャーシとトップシャーシとの結合力を高めることのできる、一体型の結合構造を有するトップシャーシ及びボトムシャーシを備えたフラット表示装置を提供することにある。
【課題を解決するための手段】
【００１０】
上記目的を達成するためになされた本発明によるフラット表示装置は、内部に所定の収納空間が形成されると共に、側面上に突設される複数のフック部を有するモールドフレームと、前記モールドフレームのフック部と係合される複数の第１の係合開口部を有するボトムシャーシと、前記ボトムシャーシとの結合構造を有するトップシャーシとを備え、前記ボトムシャーシと前記トップシャーシとの結合構造は、前記モールドフレームと前記ボトムシャーシが組み合わせられる領域の上に形成されることを特徴とする。
【００１１】
前記ボトムシャーシは、第１の台座板と、該第１の台座板から折り曲げられて延設される側壁と、前記フック部と係合するために前記側壁に形成される前記複数の第１の係合開口部とを備え、前記側壁上には側壁の外方に向かって所定の形状を有する複数の第１の凸部が形成され、前記トップシャーシは、所定の領域が開放された第２の台座板と、該第２の台座板から折り曲げられて延設される側壁と、ボトムシャーシとの結合のための前記側壁に形成される複数の係合部とを備え、該複数の係合部のそれぞれには、第２の係合開口部及び前記係合部の内方に向かって所定の形状を有する第２の凸部が形成されることが好ましい。
前記第１の凸部は前記第１の係合開口部の上部に形成され、前記第２の凸部は前記第２の係合開口部の下部に形成されることが好ましい。
前記第１の凸部及び第２の凸部は、平面的に見て半円形状に形成されることが好ましい。
前記第１の凸部と側壁とが一体に形成され、前記第２の凸部と係合部とが一体に形成されることが好ましい。
前記第１の凸部は、前記第２の係合開口部と係合されることが好ましい。
前記ボトムシャーシは、第１の台座板と、該第１の台座板から折り曲げられて延設される側壁と、前記フック部と係合するために前記側壁に形成される前記複数の第１の係合開口部とを備え、前記トップシャーシは、所定の領域が開放された第２の台座板と、該第２の台座板から折り曲げられて延設される側壁と、前記ボトムシャーシとの結合のための前記側壁に形成される複数の係合部とを備え、該複数の係合部のそれぞれには、係合部の内方に向かって所定の形状を有する第２の凸部が形成されることが好ましい。
前記第２の凸部は、平面的に見て円形状に形成されることが好ましい。
前記第２の凸部は、係合部と一体に形成されることが好ましい。
前記第２の凸部は、前記フック部に形成される開口部と対応する個所に形成されること。
前記ボトムシャーシは、第１の台座板と、該第１の台座板から折り曲げられて延設される側壁と、前記フック部と係合するために前記側壁に形成される複数の第１の係合開口部とを備え、前記側壁上には、側壁の内方に向かって所定の形状を有する複数の第１の凸部が形成され、前記トップシャーシは、所定の領域が開放された第２の台座板と、該第２の台座板から折り曲げられて延設される側壁と、ボトムシャーシとの結合のための前記側壁に形成される複数の係合部とを備え、該複数の係合部のそれぞれには、係合部の内方に向かって所定の形状を有する第２の凸部が形成されることが好ましい。
前記第１の凸部及び第２の凸部は、平面的に見て円形状に形成されることが好ましい。
前記第１の凸部と側壁とが一体に形成され、前記第２の凸部と係合部とが一体に形成されることが好ましい。
前記第１の凸部は、前記第２の凸部よりも大きく形成されることが好ましい。
前記第１の凸部は、前記第１の係合開口部の上部に形成されることが好ましい。
前記第２の凸部は、前記第１の凸部と対応する個所に形成されることが好ましい。
前記フラット表示装置は、液晶表示装置であることが好ましい。
【発明の効果】
【００１２】
本発明に係るフラット表示装置によれば、トップシャーシとボトムシャーシを一体の結合構造により形成することにより、フラット表示装置の側面の空間活用度を高めると共に、ボトムシャーシとトップシャーシとの結合力を強化させることができるという効果が得られる。
また、構造体との結合構造の形成に際して、設計制約が低減するという効果も得られる。
【発明を実施するための最良の形態】
【００１３】
次に、本発明に係るフラット表示装置を実施するための最良の形態の具体例を図面を参照しながら説明する。
【００１４】
図６及び図７は、本発明の第１の実施形態による液晶表示装置のトップシャーシとボトムシャーシとの結合前の状態を示す平面図及び斜視図である。
図６及び図７を参照すると、第１の実施形態による液晶表示装置は、トップシャーシ１００、ボトムシャーシ２００及びモールドフレーム３００を備える。モールドフレーム３００の内部には、バックライトユニット（図示せず）及びＬＣＤパネル（図示せず）を収納するための所定の収納空間が形成される。ボトムシャーシ２００は、モールドフレーム３００と下面と側面を取り囲むようにモールドフレーム３００と結合され、トップシャーシ１００は、ＬＣＤパネルの上部面の一部とモールドフレーム３００の側面を取り囲むようにボトムシャーシ２００と結合される。
【００１５】
トップシャーシ１００は、ＬＣＤパネルのディスプレイ領域が外部に露出できるように所定の領域が開放された台座板１１０、台座板１１０から垂直に折り曲げられて延設される側壁１２０、及びボトムシャーシ２００と係合するために側壁１２０に形成される係合部１３０を備える。この実施形態においては、説明の便宜のために、トップシャーシ１００の側壁１２０の一部のみを示しているが、係合部１３０は、一方の側壁１２０の上に多数形成されてもよい。
【００１６】
係合部１３０の中央部寄りには長方形の係合開口部１３３が形成され、係合開口部１３３の下部には、係合部１３０の内方に向かって平面的に見て半円形状の凸部１３５ａが形成される。このとき、凸部１３５ａは、係合部１３０と一体に形成されてもよい。また、凸部１３５ａは、係合開口部１３３と隣設する。なお、この実施形態において、凸部１３５ａは半円形状（立体的には１／４球状）に形成されることを例示しているが、凸部１３５ａの形状はこれに限定されるものではなく、種々の形状に形成可能である。
【００１７】
ボトムシャーシ２００は、モールドフレーム３００の下面を囲むための台座板２１０、台座板２１０から垂直に折り曲げられて延設される側壁２２０、後述するモールドフレーム３００のフック３１０と係合するために側壁２２０に形成される係合開口部２３０、及びトップシャーシ１００と係合するために係合開口部２３０の上部に側壁２２０の外方に向かって形成されている平面的に見て半円形状の凸部２４０ａを備える。
【００１８】
このとき、凸部２４０ａは、側壁２２０と一体に形成されてもよい。また、凸部２４０ａは、係合開口部２３０と隣設する。なお、この実施形態において、凸部２４０ａは、半円形状（立体的には１／４球状）に形成されることを例示しているが、凸部の形状はこれに限定されるものではなく、種々の形状に形成可能である。また、この実施形態においては、説明の便宜のために、ボトムシャーシ２００の側壁２２０の一部のみを示しているが、係合開口部２３０及び凸部２４０ａは多数形成されてもよい。
【００１９】
モールドフレーム３００は、上述のように、その内部にバックライトユニット（図示せず）とＬＣＤパネル（図示せず）などを収納するための所定の収納空間が形成され、モールドフレーム３００の側面には、トップシャーシ１００及びボトムシャーシ２００と係合するために所定の高さにフック３１０が突設される。フック３１０は、ボトムシャーシの係合開口部２３０に係止される。このとき、フック３１０は、一方の面はボトムシャーシ２００の側壁２２０と平行に形成され、一方の面と接する他方の面は斜設されて、係合し易さを確保する。しかしながら、フック３１０の形状はこれに限定されるものではなく、種々に変形可能である。
【００２０】
図８及び図９は、本発明の第１の実施形態による液晶表示装置のトップシャーシとボトムシャーシが係合されている状態を示す平面図及び斜視図である。
図８及び図９を参照すると、トップシャーシ１００とボトムシャーシ２００が結合されている状態が示してある。トップシャーシ１００をボトムシャーシ２００の上に組み付けると、トップシャーシの係合部１３０の係合開口部１３３はボトムシャーシの側壁２２０に形成される凸部２４０ａに係止され、トップシャーシ１００の係合部１３０の凸部１３５ａはモールドフレーム３００のフック３１０を押しながら係止されるため、トップシャーシ１００とボトムシャーシ２００との結合力は改善され、また、同じ領域の上においてトップシャーシ１００とボトムシャーシ２００を組み合わせることが可能になるため、液晶表示装置の空間活用度を高めることができる。
【００２１】
図１０及び図１１は、本発明の第２の実施形態による液晶表示装置のトップシャーシとボトムシャーシとの結合前の状態を示す平面図及び斜視図である。
図１０及び図１１を参照すると、第２の実施形態による液晶表示装置は、トップシャーシ１００、ボトムシャーシ２００及びモールドフレーム３００を備える。
【００２２】
トップシャーシ１００は、ＬＣＤパネルのディスプレイ領域が外部に露出できるように所定の領域が開放された台座板１１０、台座板１１０から垂直に折り曲げられて延設される側壁１２０及びボトムシャーシ２００と係合するために側壁１２０に形成される係合部１３０を備える。この実施形態においては、説明の便宜のために、トップシャーシ１００の側壁１２０の一部のみを示しているが、係合部１３０は一方の側壁１２０の上に多数形成されてもよい。
【００２３】
係合部１３０の所定の領域には、係合部の内方に向かって平面的に見て円形状の凸部１３５ｂが形成される。このとき、凸部１３５ｂは係合部１３０と一体に形成されてもよい。なお、この実施形態において、凸部１３５ｂは円形状（立体的には半球状）に形成されることを例示しているが、凸部１３５ｂの形状はこれに限定されるものではなく、種々の形状に形成可能である。
【００２４】
ボトムシャーシ２００は、モールドフレーム３００の下面を取り囲むための台座板２１０、台座板２１０から垂直に折り曲げられて延設される側壁２２０、及び後述するモールドフレーム３００のフック３１０と係合するために側壁２２０に形成される係合開口部２３０を備える。また、この実施形態においては、説明の便宜のために、ボトムシャーシ２００の側壁２２０の一部のみを示しているが、係合開口部２３０は多数形成されてもよい。
【００２５】
モールドフレーム３００は、その内部にバックライトユニット（図示せず）とＬＣＤパネル（図示せず）などを収納するための所定の収納空間が形成され、モールドフレーム３００の側面には、トップシャーシ１００及びボトムシャーシ２００と係合するために所定の高さにフック３１０が突設され、また、フック３１０と隣り合うように所定の形状及びサイズの開口部３１５が形成される。フック３１０は、ボトムシャーシ２００の係合開口部２３０に係止される。このとき、トップシャーシの凸部１３５ｂのサイズ及び個所は、開口部３１５のサイズと個所に対応するように形成される。
【００２６】
図１２及び図１３は、本発明の第２の実施形態による液晶表示装置のトップシャーシとボトムシャーシが結合されている状態を示す平面図及び斜視図である。
図１２及び図１３を参照すると、トップシャーシ１００とボトムシャーシ２００が結合されている状態が示してある。トップシャーシ１００をボトムシャーシ２００の上に組み付けると、トップシャーシの係合部１３０の凸部１３５ｂはフック３１０に隣設する開口部３１５に係止される。
【００２７】
図１４及び図１５は、本発明の第３の実施形態による液晶表示装置のトップシャーシとボトムシャーシとの結合前の状態を示す平面図及び斜視図である。第３の実施形態は、トップシャーシの凸部と係合される開口部の個所が第２の実施形態とは異なる点を除き、残りの構成要素はほとんど近似しているため、以下、異なる構成を中心に説明を行う。
【００２８】
第３の実施形態による液晶表示装置は、トップシャーシ１００、ボトムシャーシ２００及びモールドフレーム３００を備える。
トップシャーシ１００は、ＬＣＤパネルのディスプレイ領域が外部に露出できるように所定の領域が開放された台座板１１０、台座板１１０から垂直に折り曲げられて延設される側壁１２０、及びボトムシャーシ２００と係合するために側壁１２０に形成される係合部１３０を備える。係合部１３０の所定の領域には、係合部１３０の内方に向かって平面的に見て円形状の凸部１３５ｂが形成される。このとき、凸部１３５ｂは、係合部１３０と一体に形成可能である。
【００２９】
モールドフレーム３００は、その内部にバックライトユニット（図示せず）とＬＣＤパネル（図示せず）などを収納するための所定の収納空間が形成され、モールドフレーム３００の側面には、トップシャーシ１００及びボトムシャーシ２００と係合するために所定の高さにフック３１０が突設され、フック３１０の中央部に所定のサイズの開口部３１５が形成される。フック３１０は、ボトムシャーシの係合開口部２３０に係止される。このとき、トップシャーシ１００の凸部１３５ｂのサイズ及び個所は、開口部３１５のサイズと個所に対応するように形成される。
【００３０】
図１６及び図１７は、本発明の第３の実施形態による液晶表示装置のトップシャーシとボトムシャーシが結合されている状態を示す平面図及び斜視図である。
図１６及び図１７を参照すると、トップシャーシ１００とボトムシャーシ２００が結合されている状態が示してある。トップシャーシ１００をボトムシャーシ２００の上に組み付けると、トップシャーシの係合部１３０の凸部１３５ｂはフック３１０の中央部に形成されている開口部３１５に係止される。
【００３１】
図１８及び図１９は、本発明の第４の実施形態による液晶表示装置における、トップシャーシとボトムシャーシとの結合前の状態を示す平面図及び斜視図である。
図１８及び図１９を参照すると、第４の実施形態による液晶表示装置は、トップシャーシ１００、ボトムシャーシ２００及びモールドフレーム３００を備える。
【００３２】
トップシャーシ１００は、ＬＣＤパネルのディスプレイ領域が外部に露出できるように所定の領域が開放された台座板１１０、台座板１１０から垂直に折り曲げられて延設される側壁１２０、及びボトムシャーシ２００と係合するために側壁１２０に形成される係合部１３０を備える。この実施形態においては、説明の便宜のために、トップシャーシ１００の側壁１２０の一部のみを示しているが、係合部１３０は一方の側壁１２０の上に多数形成されてもよい。
【００３３】
係合部１３０の所定の領域には、内方に向かって平面的に見て円形状の凸部１３５ｃが形成される。このとき、凸部１３５ｃは係合部１３０と一体に形成可能である。なお、この実施形態において、凸部１３５ａは円形状（立体的には半球状）に形成されることを例示しているが、凸部１３５ａの形状はこれに限定されるものではなく、種々の形状に形成可能である。
【００３４】
ボトムシャーシ２００は、モールドフレーム３００の下面を取り囲むための台座板２１０、台座板２１０から垂直に折り曲げられて延設される側壁２２０、後述するモールドフレーム３００のフック３１０と係合するために側壁２２０に形成される係合開口部２３０、及びトップシャーシ１００と係合するために係合開口部２３０の上部に側壁２２０の内方に向かって形成される円形状の凸部２４０ｃを備える。
【００３５】
このとき、凸部２４０ｃは、側壁２２０と一体に形成可能である。また、凸部２４０ｃは、係合開口部２３０と隣設する。なお、この実施形態において凸部２４０ｃは円形状（立体的には半球状）に形成されることを例示しているが、凸部２４０ｃの形状はこれに限定されるものではなく、種々の形状に形成可能である。また、この実施形態においては、説明の便宜のために、ボトムシャーシ２００の側壁２２０の一部のみを示しているが、係合開口部２３０及び凸部２４０ｃは多数形成されてもよい。また、ボトムシャーシ２００の凸部２４０ｃとトップシャーシ１００の凸部１３５ｃは、互いに対応する個所に形成され、互いに同じ形状に形成される。また、ボトムシャーシ２００の凸部２４０ｃは、トップシャーシの凸部１３５ｃよりも大きく形成することが好ましい。
【００３６】
モールドフレーム３００は、上述のように、その内部にバックライトユニット（図示せず）とＬＣＤパネル（図示せず）などを収納するための所定の収納空間が形成され、モールドフレーム３００の側面には、トップシャーシ１００及びボトムシャーシ２００と係合するために所定の高さにフック３１０が突設される。フック３１０は、ボトムシャーシ２００の係合開口部２３０に係止される。
【００３７】
図２０及び図２１は、本発明の第４の実施形態による液晶表示装置のトップシャーシとボトムシャーシが結合されている状態を示す平面図及び斜視図である。
図２０及び図２１を参照すると、トップシャーシ１００とボトムシャーシ２００が結合されている状態が示してある。トップシャーシ１００をボトムシャーシ２００の上に組み付けると、モールドフレーム３００のフック３１０はボトムシャーシ２００の係合開口部２３０に係止され、ボトムシャーシ２００の側壁２２０に形成される凸部２４０ｃは、モールドフレーム３００の側面を押すと同時にモールドフレーム３００のフック３１０の上部に配置されて、フックを固定する。また、トップシャーシ１００の凸部１３５ｃはボトムシャーシ２００の側壁に形成されている凸部２４０ｃ（トップシャーシ１００の凸部１３５ｃとの係止の場合、実質的に凹部としての役割）に係止される。
【００３８】
尚、本発明は、上述の実施形態に限られるものではない。本発明の技術的範囲から逸脱しない範囲内で多様に変更実施することが可能である。
【産業上の利用可能性】
【００３９】
上述の実施形態においては、フラット表示装置のうち液晶表示装置を中心に説明したが、本発明によるトップシャーシ及びボトムシャーシを備えるフラット表示装置は、上述の液晶表示装置に何ら限定されるものではなく、この他にも、半導体性質を有する有機物または共役高分子を発光素材として、これを両電極の間に挟み込んで電圧をかけると、電流が発光素材内に流れながら有機物または高分子から光が発せられるような原理（電気発光と称する。）を用いる有機発光表示装置（ＯＬＥＤ）、または２枚の基板の間に小セルを多数配設し、その上下に取り付けられている電極（＋と−）の間においてガス（ネオンとアルゴン）放電を引き起こし、そこから発せられる紫外線によって自己発光を引き起こしてカラー画像を再現するプラズマ表示装置（ＰＤＰ）などの種々のフラット表示装置にも適用可能である。
【図面の簡単な説明】
【００４０】
【図１】従来の液晶表示装置の概略斜視図である。
【図２】従来の技術によるデュアル液晶パネルを備えた液晶表示装置の概略斜視図である。
【図３】従来の技術によるデュアル液晶パネルを備えた液晶表示装置の側面図である。
【図４】従来の技術による液晶表示装置のモールドフレームとボトムシャーシが組み合わせられる部分を拡大して示す平面図である。
【図５】従来の技術による液晶表示装置のモールドフレームとボトムシャーシが組み合わせられる部分を拡大して示す断面図である。
【図６】本発明の第１の実施形態による液晶表示装置のトップシャーシとボトムシャーシとの結合前の状態を示す平面図である。
【図７】本発明の第１の実施形態による液晶表示装置のトップシャーシとボトムシャーシとの結合前の状態を示す斜視図である。
【図８】本発明の第１の実施形態による液晶表示装置のトップシャーシとボトムシャーシが結合されている状態を示す平面図である。
【図９】本発明の第１の実施形態による液晶表示装置のトップシャーシとボトムシャーシが結合されている状態を示す斜視図である。
【図１０】本発明の第２の実施形態による液晶表示装置のトップシャーシとボトムシャーシとの結合前の状態を示す平面図である。
【図１１】本発明の第２の実施形態による液晶表示装置のトップシャーシとボトムシャーシとの結合前の状態を示す斜視図である。
【図１２】本発明の第２の実施形態による液晶表示装置のトップシャーシとボトムシャーシが結合されている状態を示す平面図である。
【図１３】本発明の第２の実施形態による液晶表示装置のトップシャーシとボトムシャーシが結合されている状態を示す斜視図である。
【図１４】本発明の第３の実施形態による液晶表示装置のトップシャーシとボトムシャーシとの結合前の状態を示す平面図である。
【図１５】本発明の第３の実施形態による液晶表示装置のトップシャーシとボトムシャーシとの結合前の状態を示す斜視図である。
【図１６】本発明の第３の実施形態による液晶表示装置のトップシャーシとボトムシャーシが係合されている状態を示す平面図である。
【図１７】本発明の第３の実施形態による液晶表示装置のトップシャーシとボトムシャーシが係合されている状態を示す斜視図である。
【図１８】本発明の第４の実施形態による液晶表示装置のトップシャーシとボトムシャーシとの結合前の状態を示す平面図である。
【図１９】本発明の第４の実施形態による液晶表示装置のトップシャーシとボトムシャーシとの結合前の状態を示す斜視図である。
【図２０】本発明の第４の実施形態による液晶表示装置のトップシャーシとボトムシャーシが係合されている状態を示す平面図である。
【図２１】本発明の第４の実施形態による液晶表示装置のトップシャーシとボトムシャーシが係合されている状態を示す斜視図である。
【符号の説明】
【００４１】
１００      トップシャーシ
１１０      台座板
１２０      側壁
１３０      係合部
１３３      係合開口部（第２の係合開口部）
１３５（ａ、ｂ、ｃ）      凸部
２００      ボトムシャーシ
２１０      台座板
２２０      側壁
２３０      係合開口部（第１の係合開口部）
２４０（ａ、ｂ、ｃ）    凸部
【図１】
2007164182.tif 000003
【図２】
2007164182.tif 000004
【図３】
2007164182.tif 000005
【図４】
2007164182.tif 000006
【図５】
2007164182.tif 000007
【図６】
2007164182.tif 000008
【図７】
2007164182.tif 000009
【図８】
2007164182.tif 000010
【図９】
2007164182.tif 000011
【図１０】
2007164182.tif 000012
【図１１】
2007164182.tif 000013
【図１２】
2007164182.tif 000014
【図１３】
2007164182.tif 000015
【図１４】
2007164182.tif 000016
【図１５】
2007164182.tif 000017
【図１６】
2007164182.tif 000018
【図１７】
2007164182.tif 000019
【図１８】
2007164182.tif 000020
【図１９】
2007164182.tif 000021
【図２０】
2007164182.tif 000022
【図２１】
2007164182.tif 000023